(57)【要約】【課題】外壁面材を、肉薄であっても、しっかりとした取付け状態にすることができる取付け構造及び外壁パネルを提供する。【解決手段】外壁面材が、小割りにされた複数枚の単位外壁面材からなり、隣り合う単位外壁面材の対向縁部に、屋外側への倒れ阻止状態に互いに嵌り合う引っ掛け用の凹凸が備えられ、該引っ掛け用凹凸が嵌り合っている。そして、嵌り合った引っ掛け用凹凸の間に、パネルフレーム側に固着された受け金物が突出し、引っ掛け用の凹部と凸部がそれぞれ、該受け金物に対し屋外側への倒れ阻止の引っ掛け状態となって、両面材がパネルフレームに保持されている。【選択図】      図１
2005282189.tif 000002
【特許請求の範囲】
【請求項１】
外壁面材の対向縁部に、屋外側への倒れ阻止状態に互いに嵌り合う引っ掛け用の凹凸が備えられ、
該引っ掛け用凹凸が嵌り合うと共に、
嵌り合った引っ掛け用凹凸の間に、取付け側に固着された受け金物が突出し、引っ掛け用の凹部と凸部がそれぞれ、該受け金物に対し屋外側への倒れ阻止の引っ掛け状態となって、両面材が取付け側に保持されていることを特徴とする外壁面材の取付け構造。
【請求項２】
外壁面材が、小割りにされた複数枚の単位外壁面材からなり、
隣り合う単位外壁面材の対向縁部に、屋外側への倒れ阻止状態に互いに嵌り合う引っ掛け用の凹凸が備えられ、
該引っ掛け用凹凸が嵌り合うと共に、
嵌り合った引っ掛け用凹凸の間に、パネルフレーム側に固着された受け金物が突出し、引っ掛け用の凹部と凸部がそれぞれ、該受け金物に対し屋外側への倒れ阻止の引っ掛け状態となって、両面材がパネルフレームに保持されていることを特徴とする外壁パネル。
【発明の詳細な説明】
【技術分野】
【０００１】
本発明は、外壁面材の取付け構造及び外壁パネルに関する。
【背景技術】
【０００２】
例えば、ＧＲＣ板等のコンクリート系の面材を外壁面材とする外壁パネルでは、面材とパネルフレームとの接合は、従来より、面材の成形時に面材の背面側にネジ金物を埋込み状態にして設けておき、このネジ金物を利用してネジでパネルフレームに緊結するというようにして行われている。また、面材の成形時にパネルフレームそのものを埋込み状態にして面材とパネルフレームを一体化する方法も提案されている。
【発明の開示】
【発明が解決しようとする課題】
【０００３】
しかしながら、面材が肉薄化されると、ＧＲＣ板であっても、ネジ金物のかぶり厚さの確保が困難になり、断面欠損による割れのおそれが高まり、面材をしっかりとした取付け状態にするのが難しくなるという問題を生じる。
【０００４】
また、面材の成形時にパネルフレームそのものを埋込み状態にして一体化する方法では、後の解体などにおいて面材とパネルフレームとの分離が困難になるという問題がある。
【０００５】
本発明は、上記のような問題点に鑑み、外壁面材を、肉薄であっても、しっかりとした取付け状態にすることができる取付け構造及び外壁パネルを提供することを課題とする。
【課題を解決するための手段】
【０００６】
上記の課題は、外壁面材の対向縁部に、屋外側への倒れ阻止状態に互いに嵌り合う引っ掛け用の凹凸が備えられ、
該引っ掛け用凹凸が嵌り合うと共に、
嵌り合った引っ掛け用凹凸の間に、取付け側に固着された受け金物が突出し、引っ掛け用の凹部と凸部がそれぞれ、該受け金物に対し屋外側への倒れ阻止の引っ掛け状態となって、両面材が取付け側に保持されていることを特徴とする外壁面材の取付け構造によって解決される。
【０００７】
この取付け構造では、第一に、隣り合う一方及びもう一方の両外壁面材の引っ掛け用凹凸が取付け側の受け金物に引っ掛けられていることで、両外壁面材が受け金物で倒れ阻止状態に保持されていること、第二に、こうして受け金物に引っ掛けられて倒れ阻止状態に保持されている両外壁面材が更に引っ掛け用凹凸同士の嵌り合いで、一方の外壁面材がもう一方の外壁面材の屋外側への倒れ阻止の機能を果たしていること、第三に、取付け側の受け金物が、嵌り合った引っ掛け用凹凸の間に突出していることで、受け金物の突出部の変形が引っ掛け用凹凸間で拘束されて変形しにくく、受け金物がしっかりと両面材を保持することができること、の組み合わせによって、外壁面材が薄肉であっても、取付け側に対してしっかりとした取付け状態にすることができる。
【０００８】
また、上記の課題は、外壁面材が、小割りにされた複数枚の単位外壁面材からなり、
隣り合う単位外壁面材の対向縁部に、屋外側への倒れ阻止状態に互いに嵌り合う引っ掛け用の凹凸が備えられ、
該引っ掛け用凹凸が嵌り合うと共に、
嵌り合った引っ掛け用凹凸の間に、パネルフレーム側に固着された受け金物が突出し、引っ掛け用の凹部と凸部がそれぞれ、該受け金物に対し屋外側への倒れ阻止の引っ掛け状態となって、両面材がパネルフレームに保持されていることを特徴とする外壁パネルによって解決される。
【０００９】
この外壁パネルでは、上記の取付け構造の場合と同様に、隣り合う面材に備えられた引っ掛け用凹凸とパネルフレーム側の受け金物との関係で、面材をしっかりとした取付け状態にすることができるのはもちろん、面材が、小割りにされた複数枚の単位外壁面材からなっているので、各単位外壁面材を取り付ける引っ掛け用凹凸や受け金物に対する力学的負担が小さくなり、外壁面材をより一層しっかりとした取付け状態にすることができる。のみならず、各単位外壁面材とパネルフレームとの分離も容易に行うことができる。
【発明の効果】
【００１０】
本発明は、以上のとおりのものであるから、外壁面材を、肉薄であっても、しっかりとした取付け状態にすることができる。
【発明を実施するための最良の形態】
【００１１】
次に、本発明の実施最良形態を図面に基づいて説明する。
【００１２】
図１〜図３に示す実施形態の取付け構造は、外壁パネル１において、外壁面材２を鋼製のパネルフレーム４に取り付ける場合のものであり、５は発泡樹脂などからなる断熱材である。外壁面材２は、図３に示すように、小割りにされた複数枚の単位外壁面材３…で構成されていて、単位外壁面材３…は、それぞれＧＲＣからなり、上下方向に並べられて外壁面材２を構成している。
【００１３】
そして、図１及び図２に示すように、上下で隣り合う単位外壁面材３，３の対向縁部に、屋外側への倒れ阻止状態に互いに嵌り合う引っ掛け用の凹凸６，７が備えられている。本実施形態では、上側の単位外壁面材３の下縁部に引っ掛け用の凹部６が備えられると共に、下側の単位外壁面材３の上縁部に引っ掛け用の凸部７が備えられ、これらの凹凸６，７が嵌り合って、一定の止水効果が発揮されるようになされている。
【００１４】
また、取付け側のパネルフレーム４には、断熱材５を介してレール状の受け金物８がビス９で固着状態に取り付けられており、該受け金物８は、先端部８ａ側が、引っ掛け用凹凸６，７の凹凸形状に沿うように屈曲されていて、嵌り合った引っ掛け用凹凸間に突出し、引っ掛け用の凹部６と凸部７がそれぞれ、受け金物８に対し屋外側への倒れ阻止の引っ掛け状態となって、両単位外壁面材３，３がパネルフレーム４に保持されている。
【００１５】
なお、パネルフレーム４への各単位外壁面材３…の取付けは、上記の受け金物８を用い、単位外壁面材３を下から上へと取り付けていくことにより行うことができる。
【００１６】
上記の取付け構造では、上下に隣り合う両単位外壁面材３，３の引っ掛け用凹凸６，７がそれぞれ、パネルフレーム４側の受け金物８に引っ掛けられていることで、両単位外壁面材３，３は倒れ阻止状態に保持される。しかも、こうして受け金物８に引っ掛けられて倒れ阻止状態に保持された両単位外壁面材３，３は更に引っ掛け用凹凸６，７同士の嵌り合いで、一方の単位外壁面材３がもう一方の単位外壁面材３の屋外側への倒れ阻止の機能を果たしている。加えて、パネルフレーム４側の受け金物８の先端部側が、嵌り合った引っ掛け用凹凸６，７の間に屈曲して突出していることで、引っ掛け用凹凸６，７間の受け金物８の屈曲突出部８ａの変形が引っ掛け用凹凸６，７間で拘束されて変形しにくく、受け金物８がしっかりと両単位外壁面材３，３を保持する。これらの保持機能の組み合わせによって、単位外壁面材３，３を、薄肉であっても、パネルフレーム４に対してしっかりとした取付け状態にすることができる。
【００１７】
更に、本実施形態では、上側の単位外壁面材３の下縁部には、引っ掛け用の凹部６に屋外側において隣接して、屋外側に向けて斜め下方に傾斜する斜面部１１が設けられると共に、下側の単位外壁面材３の上縁部には、引っ掛け用の凸部７に屋外側において隣接して、同じく屋外側に向けて斜め下方に傾斜する斜面部１２が設けられ、凹凸６，７の嵌り合い状態において、斜面部１１，１２同士が係合し、下側の単位外壁面材３が、上側の単位外壁面材３に引っ掛け状態となって屋外側への倒れが阻止されるようになされている。
【００１８】
しかも、外壁面材２が、小割りにされた複数枚の単位外壁面材３，３からなっているので、各単位外壁面材３…を取り付ける引っ掛け用凹凸６，７や受け金物８に対する力学的負担が小さくなり、外壁面材をより一層しっかりとした取付け状態にすることができ、また、各単位外壁面材３…とパネルフレーム４との分離も容易に行うことができる。
【００１９】
以上に、本発明の実施形態を示したが、本発明はこれに限られるものではなく、発明思想を逸脱しない範囲で各種の変更が可能である。例えば、上記の実施形態では、外壁パネル１において、各単位外壁面材３…が上下方向に並べられている場合を示しているが、左右方向に並べられてもよいし、上下左右方向に並べられてもよい。また、上記の実施形態では、外壁パネル１において、外壁面材２をパネルフレーム４に取り付ける場合を示しているが、本発明は外壁パネルに限らず、各種対象への外壁面材、単位外壁面材の取付けに用いることができるものである。更に、上記の実施形態では、引っ掛け用の凹凸６，７を面材３，３の上下の対向縁部に備えさせた場合を示しているが、引っ掛け用の凹凸は、外壁パネルであるか否かを問わず、面材の上下の対向縁部に限らず、左右の対向縁部に備えられていてもよい。また、面材はＧＲＣに限らず、また、コンクリート系にも限らず、各種外壁面材の取付けに用いることができるものである。
【図面の簡単な説明】
【００２０】
【図１】実施形態の取付け構造及び外壁パネルを示す分解断面側面図である。
【図２】同中間省略の全体断面側面部である。
【図３】外壁面材の正面図である。
【符号の説明】
【００２１】
１…外壁パネル
２…外壁面材
３…単位外壁面材
４…パネルフレーム（取付け側）
６…引っ掛け用の凹部
７…引っ掛け用の凸部
８…受け金物
８ａ…屈曲突出部
【図１】
2005282189.tif 000003
【図２】
2005282189.tif 000004
【図３】
2005282189.tif 000005